(57)【特許請求の範囲】
【請求項１】
天蓋と、
この天蓋に上端部が固定された支持具と、
前記天蓋に対向して設けられ前記支持具により支持された照明板とを備え、
前記照明板は、照明板本体と、この照明板本体の縁部にヒンジを介して折曲自在に取付けられた外枠とを有し、
複数の前記支持具を囲って形成された天井開口部の内寸法は、前記外枠が折曲されたときの前記照明板の外形寸法よりも大きくて、前記外枠が折曲される前の前記照明板の外形寸法よりも小さく、
前記照明板の前記支持具に対する取付け、取外しは、照明板を、前記外枠が折曲された状態で前記天井開口部を通過させて行なうことを特徴とするエレベータのかご天井装置。
【請求項２】
天蓋と、
この天蓋に上端部が固定された支持具と、
前記天蓋に対向して設けられ前記支持具により支持された照明板とを備え、
前記支持具は、ヒンジを介して折曲自在の係止部を有し、
複数の前記支持具を囲って形成された天井開口部の内寸法のうち、前記係止部が折曲されたときの内寸法は、前記照明板の外形寸法よりも大きく、前記係止部が折曲される前の内寸法は、前記照明板の外形寸法よりも小さく、
前記照明板の前記支持具に対する取付け、取外しは、前記照明板を、前記係止部が折曲された状態で前記天井開口部を通過させて行なうことを特徴とするエレベータのかご天井装置。
【請求項３】
天蓋と、
この天蓋に上端部が固定された支持具と、
前記天蓋に対向して設けられ前記支持具により支持された照明板とを備え、
前記照明板は、四角形状の照明板本体と、この照明板本体の隣接した二辺のそれぞれの縁部にヒンジを介して折曲自在に取付けられた外枠とを有し、
前記支持具は、ヒンジを介して折曲自在であって前記照明板本体の他の二辺のそれぞれの縁部を係止する係止部を有し、
複数の前記支持具を囲って形成された天井開口部の内寸法のうち、前記外枠及び前記係止部が折曲されたときの内寸法は、外枠が折曲された前記照明板の外形寸法よりも大きく、前記外枠及び前記係止部が折曲される前の内寸法は、前記外枠が折曲される前の前記照明板の外形寸法よりも小さく、
前記照明板の前記支持具に対する取付け、取外しは、照明板を、前記外枠及び前記係止部が折曲された状態で前記天井開口部を通過させて行なうことを特徴とするエレベータのかご天井装置。
【請求項４】
前記照明板本体の外周端面と、この外周端面と対向した前記外枠の端面には、それぞれ面取り加工されたテーパ面が形成されていることを特徴とする請求項１または３に記載のエレベータのかご天井装置。
【請求項５】
前記支持具は、水平方向に延びた片部を有しているとともに、この片部には、前記照明板が水平方向に移動するのを規制する規制部が設けられていることを特徴とする請求項１、３または４の何れかに記載のエレベータのかご天井装置。
【請求項６】
前記ヒンジは、前記照明板本体の縁部及び前記外枠の縁部にそれぞれ取付けられた基台に跨って取付けられ、
前記基台の高さは、前記ヒンジの支柱の高さよりも高く、
前記ヒンジの前記照明板本体側の第１の片には、前記外枠側に延びた長孔が形成されており、
前記ヒンジの前記外枠側の第２の片には、前記照明板本体側に延びた長孔が形成されており、
それぞれの前記長孔には、前記基台に固定されピンが設けられていることを特徴とする請求項１、３または５の何れかに記載のエレベータのかご天井装置。
【発明の詳細な説明】
【技術分野】
【０００１】
この発明は、照明装置の下方に配置される照明板を、天蓋に設けられた支持具で支持するエレベータのかごの天井装置に関するものである。
【背景技術】
【０００２】
従来、かご天井の照明機器を下から覆って配光する複数の照明板の相互間に、照明板の周縁部を受け支えする支持部を突設させた目地を介在させて照明板を固定するようにしたエレベータのかごの照明板固定装置が知られている。
そして、このものの場合、例えば照明機器の取り替え等を行うために照明板をかご天井から取り外すときには、照明板の一端部をかご天井内に押し上げて照明板を斜めにすることにより照明板の他端部を支持部から外してから、照明板をかご天井から取り外す（例えば特許文献１参照）。
【先行技術文献】
【特許文献】
【０００３】
【特許文献１】特許第４５１５７８８号公報
【発明の概要】
【発明が解決しようとする課題】
【０００４】
しかしながら、照明板の他端部が支持部から外れるまで照明板を逃がすために、照明板を大きく斜めにしなければならないので、照明板の逃がし代を確保するために、かご天井内の深さ（厚さ）を大きくしなければならない。
従って、照明板が全面に配置された全面照明タイプのかご天井の厚さは、一部のみが照明板となっている部分照明タイプのかご天井の厚さよりも大きくなってしまう。
【０００５】
このことから、例えば既設のかごの壁を利用して部分照明タイプのかご天井を全面照明タイプのかご天井にリニューアルしようとすると、全面照明タイプのかご天井が上方の既設の機器（例えばドア装置の上部等）に干渉してしまうおそれがあるという問題点があった。
また、既設の機器に干渉しないように全面照明タイプのかご天井の設置位置を低くすると、かご内の天井高さが低くなり、かご内の乗客に圧迫感を与えてしまうという問題点があった。
【０００６】
この発明は、上記のような問題点を解決することを課題とするものであって、複数の支持具を囲って形成された天井開口部の内寸法は、外枠が折曲されたときの照明板の外形寸法よりも大きく、外枠が折曲される前の照明板の外形寸法よりも小さくすることで、厚さを薄くすることができるエレベータのかご天井装置を得ることを目的とする。
【課題を解決するための手段】
【０００７】
この発明に係るエレベータのかご天井装置は、天蓋と、この天蓋に上端部が固定された支持具と、前記天蓋に対向して設けられ前記支持具により支持された照明板とを備え、
前記照明板は、照明板本体と、この照明板本体の縁部にヒンジを介して折曲自在に取付けられた外枠とを有し、
複数の前記支持具を囲って形成された天井開口部の内寸法は、前記外枠が折曲されたときの前記照明板の外形寸法よりも大きくて、前記外枠が折曲される前の前記照明板の外形寸法よりも小さく、
前記照明板の前記支持具に対する取付け、取外しは、照明板を、前記外枠が折曲された状態で前記天井開口部を通過させて行なうようになっている。
【０００８】
また、この発明に係るエレベータのかご天井装置は、天蓋と、この天蓋に上端部が固定された支持具と、前記天蓋に対向して設けられ前記支持具により支持された照明板とを備え、
前記支持具は、ヒンジを介して折曲自在の係止部を有し、
複数の前記支持具を囲って形成された天井開口部の内寸法のうち、前記係止部が折曲されたときの内寸法は、前記照明板の外形寸法よりも大きく、前記係止部が折曲される前の内寸法は、前記照明板の外形寸法よりも小さく、
前記照明板の前記支持具に対する取付け、取外しは、前記照明板を、前記係止部が折曲された状態で前記天井開口部を通過させて行なうようになっている。
【０００９】
また、この発明に係るエレベータのかご天井装置は、天蓋と、この天蓋に上端部が固定された支持具と、前記天蓋に対向して設けられ前記支持具により支持された照明板とを備え、
前記照明板は、四角形状の照明板本体と、この照明板本体の隣接した二辺のそれぞれの縁部にヒンジを介して折曲自在に取付けられた外枠とを有し、
前記支持具は、ヒンジを介して折曲自在であって前記照明板本体の他の二辺のそれぞれの縁部を係止する係止部を有し、
複数の前記支持具を囲って形成された天井開口部の内寸法のうち、前記外枠及び前記係止部が折曲されたときの内寸法は、外枠が折曲された前記照明板の外形寸法よりも大きく、前記外枠及び前記係止部が折曲される前の内寸法は、前記外枠が折曲される前の前記照明板の外形寸法よりも小さく、
前記照明板の前記支持具に対する取付け、取外しは、照明板を、前記外枠及び前記係止部が折曲された状態で前記天井開口部を通過させて行なうようになっている。
【発明の効果】
【００１０】
この発明に係るエレベータのかご天井装置では、複数の支持具を囲って形成された天井開口部の内寸法は、外枠が折曲されたときの照明板の外形寸法よりも大きく、外枠が折曲される前の照明板の外形寸法よりも小さくなっている。
従って、照明板の取付け、取外しの際に照明板を傾ける必要がなくなり、かご天井装置の厚さを薄くすることができる。
【図面の簡単な説明】
【００１１】
【図１】図１（ａ）はこの発明の実施の形態１によるエレベータのかご天井装置の照明板を支持具に取付ける前を示す構成図、図１（ｂ）は図１（ａ）の照明板を支持具に取付ける前の照明板の形態を示す構成図である。
【図２】図１の照明板の平面図である。
【図３】図２のＩＩＩ-ＩＩＩ線に沿った矢視断面図である。
【図４】図４（ａ）は図３のＡの部位の拡大図、図４（ｂ）は図４（ａ）の照明板を支持具に取付ける前の照明板の形態を示す構成図である。
【図５】図５（ａ）はこの発明の実施の形態２によるエレベータのかご天井装置の照明板を支持具に取付けられた後の照明板の形態を示す要部斜視図、図５（ｂ）は図５（ａ）の照明板の使用形態を示す要部斜視図である。
【図６】図６（ａ）はこの発明の実施の形態３によるエレベータのかご天井装置の照明板を支持具に取付ける前を示す構成図、図６（ｂ）は図６（ａ）の照明板を支持具に取付けた後のエレベータのかご天井装置の形態を示す構成図である。
【図７】図７はこの発明の実施の形態４によるエレベータのかご天井装置の照明板を支持具に取付ける前を示す構成図である。
【発明を実施するための形態】
【００１２】
以下、この発明の各実施の形態について図に基づいて説明するが、各図において、同一、または相当部材、部位については同一符号を付して説明する。
実施の形態１．
図１（ａ）はこの発明の実施の形態１によるエレベータのかご天井装置（以下、かご天井装置と略称する。）の照明板１を支持具２に取付ける前を示す構成図、図１（ｂ）は図１（ａ）の照明板１を支持具２に取付ける前の照明板１の形態を示す構成図、図２は、図１の照明板１の平面図、図３は図２のＩＩＩ-ＩＩＩ線に沿った矢視断面図、図４（ａ）は図３のＡの部位の拡大図、図４（ｂ）は図４（ａ）の照明板１を支持具２に取付ける前の照明板１の形態を示す構成図である。
【００１３】
このかご天井装置は、かごの縦壁（図示せず）の上端部に周縁部が支持されることによりエレベータのかごの上部に配置されている。
かご天井装置は、周縁部が縦壁上に載せられて固定された天蓋（図示せず）と、天蓋に支持され、天蓋の下方に配置される複数の蛍光灯である照明装置（図示せず）と、各照明装置の下方であって天蓋に対して平行に配置され、各照明装置からの光をかご内へ通す照明板１と、各照明装置を避けて天蓋に一端部が固定され、他端部で照明板１を支持する支持具２とを有している。
【００１４】
照明板１は、正方形状の照明板本体３と、この照明板本体３の各縁部にそれぞれ複数のヒンジ５を介して取付けられた外枠４とを備えている。
照明板本体３の外周端面と、この外周端面と対向した外枠４の端面には、それぞれ面取り加工されたテーパ面３ａ，４ａが形成されている。各テーパ面４ａはそれぞれ４５°傾斜した傾斜面であり、各外枠４は照明板本体３に対して９０°折曲される。
【００１５】
ヒンジ５は、支柱８と、この支柱８に対して回転自在であって照明板本体３に固定された第１の片６と、支柱８に対して回転自在であって外枠４に固定された第２の片７とから構成されている。このヒンジ５は、外枠４を図１（ａ）の矢印の範囲で支柱８を中心に回転することを可能にするが、外枠４を照明板本体３に対して起立させる方向の回転は阻止している。
【００１６】
各支持具２は、断面がＴ字形状であり、それぞれ外枠４に沿って設けられている。各支持具２の片部９の外枠４側には、断面Ｌ字形状の規制部１０が取付けられている。
支持具２で区画された天井開口部の開口縁部の各寸法は、照明板本体３に対して９０°外枠４が折曲された状態の照明板１の水平方向の各寸法よりも大きく、照明板本体３に対して外枠４が折曲される前の照明板１の水平方向の各寸法よりも小さい。
【００１７】
次に、支持具２に照明板１の取り付け手順について説明する。
まず、図１（ｂ）に示すように、照明板１の各外枠４をヒンジ５の支柱８を中心に９０°折曲する。このとき、照明板本体３のテーパ面３ａと、外枠４のテーパ面４ａはそれぞれ４５°傾斜した傾斜面であり、各外枠４は、垂直に折曲される。
次に、このままの状態で、照明板１を、支持具２の下側から天井開口部を通って上側に通過させる。
この後、外枠４を９０°回転させて照明板本体３に対して水平方向に延びた状態にした後、外枠４を支持具２の片部９の端部に載置する。
なお、このとき、ヒンジ５は、外枠４を照明板本体３に対して起立させる方向の回転は阻止しているので、照明板１は、支持具２により確実に支持される。
照明板１は、支持具２で支持されたとき、外枠４の各外側端面が規制部１０と対面しているので、水平方向の移動は規制される。
【００１８】
照明板１を支持具２から取り外す手順については、上記の逆の手順により行われる。
【００１９】
この実施の形態によるかご天井装置では、４個の支持具２を囲って形成された天井開口部の内寸法は、外枠４が折曲されたときの照明板１の外形寸法よりも大きくて、外枠４が折曲される前の照明板１の外形寸法よりも小さくなっており、照明板１の支持具２に対する取付け、取外しは、照明板１を外枠４が折曲された状態で天井開口部を通過させて行なわれる。
従って、照明板１の取付け、取外しの際に照明板１を傾ける必要がなく、天蓋と照明板１との間の寸法を短くすることができ、かご天井装置の厚さを薄くすることができる。
これにより、例えばかご天井装置のリニューアルを容易に行うことができるとともに、かご内での圧迫感も減らすことができる。
また、支持具２に対する照明板１の取付け、取外しの際に照明板１を傾ける必要がないので、照明板１が照明装置に当たりにくくなり、照明装置の破損の防止を図ることができる。
【００２０】
また、照明板本体３の外周端面と、この外周端面と対向した外枠４の端面には、それぞれ面取り加工されたテーパ面３ａ，４ａが形成されているので、照明板本体３に対して外枠４は垂直方向に折曲される。
従って、外枠４は、照明板１を天井開口部を通過させる際の支障にならない。
【００２１】
また、支持具２は、水平方向に延びた片部９を有しているとともに、この片部９の天井開口部側には、照明板１が水平方向に移動するのを規制する規制部１０が設けられているので、照明板１は水平方向の移動が確実に規制される。
【００２２】
実施の形態２．
図５（ａ）はこの発明の実施の形態２によるかご天井装置の照明板１Ａを支持具２に取付けた後の照明板１Ａを示す要部斜視図、図５（ｂ）は図５（ａ）の照明板１Ａの使用形態を示す要部斜視図である。
この実施の形態では、照明板本体３の縁部及び外枠４の縁部には、それぞれ基台１３が取付けられている。この一対の基台１３には、跨ってヒンジ５が取付けられている。基台１３の高さは、ヒンジ５の支柱８の高さよりも高い。ヒンジ５の照明板本体３側の第１の片６には、外枠４側に延びた一対の長孔１１が形成されている。ヒンジ５の外枠４側の第２の片７にも、照明板本体３側に延びた一対の長孔１１が形成されている。
それぞれの長孔１１には、基台１３に固定されたピン１２の先端部が突出している。
他の構成は、実施の形態１のかご天井装置と同じである。
【００２３】
この実施の形態のかご天井装置によれば、実施の形態１と同様に、照明板１Ａの支持具２に対する取付け、取外しは、照明板１Ａを外枠４が折曲された状態で天井開口部を通過させて行なわれる。
この外枠４の折曲の際には、図５（ｂ）に示すように、照明板本体３に対して外枠４を離間させ、照明板本体３に対して外枠４を９０°下方向に折曲させる。
そして、照明板１Ａを支持具２に取付けた後は、外枠４の端面と照明板本体３の端面とを面接触させる。
【００２４】
この実施の形態では、実施の形態１のかご天井装置と同様に、天蓋と照明板１Ａとの間の寸法を短くすることができ、かご天井装置の厚さを薄くすることができる。
また、照明板１Ａを支持具２に取付けた後は、外枠４の端面と照明板本体３の端面とが面接触しており、かご内の乗客は、外枠４と照明板本体３との継ぎ目が肉眼的に見えにくくなり、テーパ部３ａ，４ａ及び支柱８が見える実施の形態１のかご天井装置と比較して意匠性が向上する。
【００２５】
実施の形態３．
図６（ａ）はこの発明の実施の形態３によるかご天井装置の照明板１Ｂを支持具２Ａに取付ける前を示す構成図、図６（ｂ）は図６（ａ）の照明板１Ｂを支持具２Ａに取付けた後のかご天井装置の形態を示す構成図である。
この実施の形態では、板金で作製された支持具２Ａは、この片部９Ａにヒンジ５を介して係止部１４が取付けられている。
照明板１Ｂについては、実施の形態１及び２の照明板１、Ａと異なり、外枠４及びヒンジ５を有していない。
他の構成は、実施の形態１のかご天井装置と同じである。
【００２６】
この実施の形態では、支持具２Ａに照明板１Ｂを取付けるには、先ず図６（ａ）に示すように、支持具２Ａの係止部１４を矢印方向にヒンジ５の支柱８を中心に９０°起立させる。
次に、このままの状態で、照明板１Ｂを、支持具２Ａの下側から天井開口部を通って上側に通過させる。
この後、係止部１４を倒伏させた後、この係止部１４に照明板１Ｂの縁部を載置する。
照明板１Ｂは、支持具２Ａで支持された後は、ヒンジ５の端面５ａで水平方向の移動は規制される。
【００２７】
支持具２Ａからの照明板１Ｂの取り外しは、上記の逆の手順により行われる。
【００２８】
この実施の形態では、実施の形態１のかご天井装置と同様に天蓋と照明板１Ｂとの間の寸法を短くすることができ、かご天井装置の厚さを薄くすることができる。
また、外枠４を有しない、既設の照明板１Ｂをそのまま使用でき、また板金の支持具２Ａにヒンジ５を取付けるため、実施の形態１，２のものと比較して、かご天井装置の製造が簡単であり、コストも安価である。
【００２９】
実施の形態４．
図７はこの発明の実施の形態４によるかご天井装置の照明板１Ｃを支持具２，２Ａに取付ける前を示す構成図である。
この実施の形態では、照明板１Ｃは、照明板本体３が対向した一辺側にはヒンジ５を介して外枠４が取付けられている。この外枠４は、実施の形態１のものと同じ構成の支持具２に係止される。
照明板本体３が対向した他辺側の縁部は、実施の形態３のものと同じ構成の支持具２Ａにより係止される。
【００３０】
この実施の形態では、実施の形態１のかご天井装置と同様に天蓋と照明板１Ｃとの間の寸法を短くすることができ、かご天井装置の厚さを薄くすることができる。
また、照明板１Ｃの取付け、取外しが複雑になり、それだけ照明板１Ｃがいたずらにより取り外されにくくなるという効果もある。
【００３１】
なお、上記各実施の形態では、全面照明タイプであって、照明板１，１Ａ，１Ｂ，１Ｃは、一枚で構成されたかご天井装置について説明したが、照明板が複数枚で構成されたものについても、この発明は適用することができる。
【符号の説明】
【００３２】
１，１Ａ，１Ｂ，１Ｃ  照明板、２，２Ａ  支持具、３  照明板本体、３ａ  テーパ面、４  外枠、４ａ  テーパ面、５  ヒンジ、５ａ  端面、４ａ  端面、６  第１の片、７  第２の片、８  支柱、９，９Ａ  片部、１０  規制部、１１  長孔、１２  ピン  １３  基台、１４  係止部。
【図１】
0005924674.tif 000002
【図２】
0005924674.tif 000003
【図３】
0005924674.tif 000004
【図４】
0005924674.tif 000005
【図５】
0005924674.tif 000006
【図６】
0005924674.tif 000007
【図７】
0005924674.tif 000008